(57)【要約】【課題】例え中央に各種電子部品等を設置したとしても、容易に外径の小型化を図ることができる回転式電子部品を提供する。【解決手段】複数の摺動子６０，６１，６３を取り付けてなるフレキシブル回路基板４０と、摺動子６０，６１，６３に設けた摺動接点６０ｃ，６０ｃ，６１ｃ，６３ｃを摺接させる摺接パターン１１２を設けてなる回転体１３０と、を具備し、フレキシブル回路基板４０に対して回転体１３０を回転することで摺動子６０，６１，６３の摺動接点６０ｃ，６０ｃ，６１ｃ，６３ｃに摺接パターン１１２を摺接させて各摺動子６０，６１，６３間の電気的出力を変化させる。摺接パターン１１２と、摺動子６０，６１，６３の摺動接点６０ｃ，６０ｃ，６１ｃ，６３ｃとを何れも１つの円形のトラック上に配置する。【選択図】図４−３
2008123903.tif 000002
【特許請求の範囲】
【請求項１】
複数の摺動子を取り付けてなる固定側部材と、前記摺動子に設けた摺動接点を摺接させる摺接パターンを設けてなる回転側部材と、を具備し、固定側部材に対して回転側部材を回転することで前記摺動子の摺動接点に前記摺接パターンを摺接させて各摺動子間の電気的出力を変化させる回転式電子部品において、
前記摺接パターンと、前記複数の摺動子の摺動接点とを何れも１つの円形のトラック上に配置したことを特徴とする回転式電子部品。
【請求項２】
前記摺動子は、固定側部材に取り付けられる基部と、基部から突出するアーム部と、アーム部の所定位置に設けられる前記摺動接点とを具備して構成され、
前記各摺動子の基部とアーム部を、前記トラックの曲率半径と同一の曲率半径の円弧状に湾曲して形成することで、前記１つのトラックに沿うように配置したことを特徴とする請求項１に記載の回転式電子部品。
【請求項３】
前記摺接パターンは前記１つのトラック上に等間隔に複数設けられ、且つ各摺接パターン間は導通され、
一方前記摺動子の内の１つは基部の両側からアーム部を突出し、両アーム部に設けた摺動接点の少なくとも何れか一方が常に何れかの摺接パターンに当接するように構成されたコモンの摺動子であることを特徴とする請求項２に記載の回転式電子部品。
【請求項４】
前記回転式電子部品の中央に、他の部品を収納したことを特徴とする請求項１又は２又は３に記載の回転式電子部品。
【発明の詳細な説明】
【技術分野】
【０００１】
本発明は小型化に好適な回転式電子部品に関するものである。
【背景技術】
【０００２】
従来、デジタルカメラや携帯電話等の各種携帯機器、コンピュータ、自動車用電装部品、各種ＯＡ機器、ゲーム機等を操作するデバイス等として、回転式電子部品本来の機能の他に、別の機能（例えば他の回転式電子部品の機能や揺動式電子部品の機能や押釦スイッチの機能等）をその中央に設置した構造の回転式電子部品が利用されている。例えば特許文献１においては、回転式電子部品の中央に別の回転式電子部品を設置する構造である。
【０００３】
そしてこのような構造の回転式電子部品においても小型化が要求されているが、外周側に設置する回転式電子部品の構造は、並列に設置した複数本の摺動子をそれぞれこれら摺動子に対向して設けた摺接パターンに摺接させる構造のため、これら摺動子が摺接する複数本のトラック分の円弧状の幅が必要で、その幅以下にはこの回転式電子部品の小型化を図ることができなかった。
【特許文献１】特開平８−１８５７６０号公報
【発明の開示】
【発明が解決しようとする課題】
【０００４】
本発明は上述の点に鑑みてなされたものでありその目的は、例え中央に各種電子部品等を設置したとしても、容易に外径の小型化を図ることができる回転式電子部品を提供することにある。
【課題を解決するための手段】
【０００５】
本願請求項１に記載の発明は、複数の摺動子を取り付けてなる固定側部材と、前記摺動子に設けた摺動接点を摺接させる摺接パターンを設けてなる回転側部材と、を具備し、固定側部材に対して回転側部材を回転することで前記摺動子の摺動接点に前記摺接パターンを摺接させて各摺動子間の電気的出力を変化させる回転式電子部品において、前記摺接パターンと、前記複数の摺動子の摺動接点とを何れも１つの円形のトラック上に配置したことを特徴とする回転式電子部品にある。
【０００６】
本願請求項２に記載の発明は、前記摺動子は、固定側部材に取り付けられる基部と、基部から突出するアーム部と、アーム部の所定位置に設けられる前記摺動接点とを具備して構成され、前記各摺動子の基部とアーム部を、前記トラックの曲率半径と同一の曲率半径の円弧状に湾曲して形成することで、前記１つのトラックに沿うように配置したことを特徴とする請求項１に記載の回転式電子部品にある。
【０００７】
本願請求項３に記載の発明は、前記摺接パターンは前記１つのトラック上に等間隔に複数設けられ、且つ各摺接パターン間は導通され、一方前記摺動子の内の１つは基部の両側からアーム部を突出し、両アーム部に設けた摺動接点の少なくとも何れか一方が常に何れかの摺接パターンに当接するように構成されたコモンの摺動子であることを特徴とする請求項２に記載の回転式電子部品にある。
【０００８】
本願請求項４に記載の発明は、前記回転式電子部品の中央に、他の部品を収納したことを特徴とする請求項１又は２又は３に記載の回転式電子部品にある。ここで他の部品とは、前記回転式電子部品以外の他の電子部品及び前記回転式電子部品以外の機能のために用いる他の機能部品をいう。
【発明の効果】
【０００９】
請求項１に記載の発明によれば、摺接パターンと複数の摺動子の摺動接点とを１つの円形のトラック上に配置したので、両者が摺接するのに必要なトラックは１本のみとなり、その厚みを薄くでき、回転式電子部品の外径の小型化が図れる。特に請求項４に記載の発明のように、この回転式電子部品の中央に他の部品を収納設置するような場合、全体としての小型化が図れ、好適である。
【００１０】
請求項２に記載の発明によれば、各摺動子の基部とアーム部が１つのトラックに沿うように配置されるので、回転式電子部品の外径の小型化が効果的に図れる。また１つのトラックに沿っているので、アーム部の長さを長くしてもその周囲の部品に対して邪魔にならず、長くできる分、摺動子の弾性力を一定させ安定させることができる。
【００１１】
請求項３に記載の発明によれば、摺接パターンと複数の摺動子とによって、パルス波形を出力できる構造の回転式電子部品を容易に提供できる。
【発明を実施するための最良の形態】
【００１２】
以下、本発明の実施形態を図面に基づいて詳細に説明する。
〔第１実施形態〕
図１は本発明の第１実施形態にかかる多機能型の回転式電子部品１の斜視図、図２は回転式電子部品１を所定位置で切断した回転式電子部品１の断面斜視図、図３は回転式電子部品１を他の所定位置で切断した回転式電子部品１の断面斜視図、図４（図４−１〜図４−３）は回転式電子部品１を上側から見た分解斜視図、図５（図５−１〜図５−３）は回転式電子部品１を下側から見た分解斜視図である。この回転式電子部品１は、回転式電子部品の中央に、揺動式電子部品と押圧式電子部品とを収納して多機能化させたものである。なお以下の説明において、「上側（上）」とはこの回転式電子部品１を操作する操作面側（操作面方向）、「下側（下）」とはその反対面側（反対面方向）を言うものとする。
【００１３】
図４，図５に示すように回転式電子部品１は、下ケース１０内に、回路基板（以下「フレキシブル回路基板」という）４０と、摺動子６０，６１，６３と、アース部材７０と、摺接パターン形成体（以下「スイッチパターン形成体」という）１１０を取り付けた回転体１３０と、揺動体１７０と押釦つまみ１９０を取り付けたヒンジ部材２１０と、クリック部材２４０とを収納し、その上に上ケース２６０を被せるように取り付け、さらにその上から揺動つまみ２８０と回転つまみ３００とを取り付けて構成されている。なお上記各部材の内、スイッチパターン形成体１１０と回転体１３０と回転つまみ３００は回転側部材であり、それ以外の各部材は固定側部材である。以下各構成部品について説明する。
【００１４】
固定側部材である下ケース１０は図４−３，図５−３に示すように合成樹脂（例えばＡＢＳ樹脂、ＰＢＴ樹脂、ＰＯＭ樹脂等）の成形品であり、円板状の底板１１の外周に筒状の外壁１３を立設し、また底板１１上の前記外壁１３の内側に筒状の側壁１５を立設し、側壁１５の内側の空間をスイッチ収納部１７とし、側壁１５と外壁１３の間の空間を電気的機能部収納空間１９とし、スイッチ収納部１７内の底板１１に一対の貫通する小孔からなるアース端子挿通部２１を設け、前記側壁１５の上端面に複数本（この実施形態では４本）の小突起からなる係止部２３を設け、電気的機能部収納空間１９内の底板１１に複数本（この実施形態では８本、但し図４−３には３本のみ示す。）の小突起からなる取付部２５を設けて構成されている。外壁１３の一部には、これを切り欠いてなる引出部挿通部２７が設けられ、外壁１３の外周側には上下方向に向かう帯状の溝からなるガイド部２９が等間隔に複数ヶ所（この実施形態では４ヶ所）形成され、外壁１３の上端面には１８０°対向する位置にそれぞれ小さな一対の凹部を接近して設けてなるクリック部材係止部３１が形成されている。側壁１５にはその複数ヶ所（この実施形態では４ヶ所）を等間隔に切り欠くことで基板挿通部３３が形成されている。
【００１５】
固定側部材であるフレキシブル回路基板４０は可撓性を有する絶縁性の合成樹脂フイルム（この実施形態では熱可塑性合成樹脂フイルムであるポリエチレンテレフタレート（ＰＥＴ）フイルムを用いているが、他の熱可塑性又は熱硬化性の合成樹脂フイルムを用いても良い。）を前記下ケース１０の外壁１３の内側に収納できる外形寸法の円形に形成し、その内部の前記下ケース１０の側壁１５に対向する位置にリング状の側壁挿通部４１を設け、またその外周から帯状の引出部４３を引き出して構成されている。そして側壁挿通部４１で仕切られたその内側部分を第２電気的機能部設置部（以下「スイッチ形成部」という）４５とし、外側部分を第１電気的機能部設置部（以下「摺動子取付部」という）４７としている。スイッチ形成部４５と摺動子取付部４７は、側壁挿通部４１に等間隔に複数（この実施形態では４ヶ所）設けた連結片４９によって連結されている。スイッチ形成部４５の上面には複数（この実施形態では５つ）のスイッチ５１（中央に１つ、その周囲を囲む位置に等間隔に４つ）が設けられ、またスイッチ形成部４５の外周近傍の１８０°対向する位置には一対の矩形状の小孔からなるアース挿通部５３が設けられている。摺動子取付部４７はその複数位置（この実施形態では３ヶ所）に円弧状の導電パターン５５ａ，ｂ，ｃを設け、各導電パターン５５ａ，ｂ，ｃ中と引出部４３を連結する位置とに小孔からなる取付部５７を設けている。各スイッチ５１は、フレキシブル回路基板４０上にスクリーン印刷などによって形成した一対の接点パターン（図示せず）上にドーム形状の導電板（金属板）からなる反転板（可動接点板）を設置することで構成されている。反転板の外周辺には一方の接点パターンが当接しており、反転板の上面を押圧して反転板をクリック感覚を生じながら反転させるとその中央下面がもう一方の接点パターンに当接し、これによって両接点パターン間が導通する。
【００１６】
電気的機能部を構成する摺動子６０，６１，６３は何れも弾性金属板（例えばリン青銅）製であり、摺動子６０はコモンの摺動子、摺動子６１，６３は出力用の摺動子である。摺動子６０は固定側部材であるフレキシブル回路基板４０に取り付けられる平板円弧状の基部６０ａの両端からアーム部６０ｂ，６０ｂを突出し、各アーム部６０ｂ，６０ｂの先端近傍に上方向に凸となるように湾曲する摺動接点６０ｃ，６０ｃを設け、また基部６０ａ中の複数ヶ所（前記フレキシブル回路基板４０の取付部５７に対向する３ヶ所）に取付部５７と同一径の小孔からなる取付挿入部６０ｄを設けて構成されている。摺動子６１，６３はフレキシブル回路基板４０に取り付けられる平板円弧状の基部６１ａ，６３ａの一端からアーム部６１ｂ，６３ｂを突出し、各アーム部６１ｂ，６３ｂの先端近傍に上方向に凸となるように湾曲する摺動接点６１ｃ，６３ｃを設け、また基部６１ａ，６３ａ中の複数ヶ所（前記フレキシブル回路基板４０の取付部５７に対向する２ヶ所）に取付部５７と同一径の小孔からなる取付挿入部６１ｄ，６３ｄを設けて構成されている。各アーム部６０ｂ，６０ｂ，６１ｂ，６３ｂは基部６０ａ，６１ａ，６３ａに連結される根元部分において上方向（操作面側）に折り曲げられている。なお各摺動子６０，６１，６３は何れも基部６０ａ，６１ａ，６３ａとアーム部６０ｂ，６０ｂ，６１ｂ，６３ｂの全体を、細帯状であって、下記する摺接パターン１１２が形成する１本のトラックの曲率半径と同一の曲率半径の円弧状に湾曲形成して構成されている。即ち基部６０ａ，６１ａ，６３ａもアーム部６０ｂ，６０ｂ，６１ｂ，６３ｂもこれら全体が同一の円上に位置するように湾曲して円弧状に形成されている。
【００１７】
アース部材７０は導電部材製（この実施形態ではステンレス等の金属板製）であり、略十字状であってその内部が開口７３となっているアース本体部７１の突出している４つの部分の外周辺からそれぞれ取付部７５を突出して設けて構成されている。各取付部７５は、アース本体部７１への接続部分から２回逆方向に９０°折り曲げることで、その先端側の面がアース本体部７１の面より上方に平行に位置するようにしている。そしてこの先端部分は水平で円弧状の設置部７７となっている。各設置部７７の中央には前記下ケース１０の係止部２３に挿入される小孔からなる係止部７９が設けられている。またアース本体部７１の開口７３の取付部７５の根元に位置する部分からは、下方向に９０°折り曲げられて突出する舌片状のアース部８１が１８０°対向する位置に一対設けられている。これらアース部８１は前記下ケース１０のアース端子挿通部２１に対向する位置にアース端子挿通部２１に挿入できる寸法で形成されている。
【００１８】
回転側部材であるスイッチパターン形成体１１０は、合成樹脂フイルム（この実施形態では可撓性を有するＰＥＴフイルムを用いているが、他の熱可塑性、熱硬化性の合成樹脂フイルムでもよく、硬質板でも良い）を中央に円形の貫通孔１１１を設けた円形のリング状に形成し、その下面（下ケース１０側を向く面）にリング状で等間隔に複数（この実施形態では１２個）の略矩形状の電気的機能部を構成する摺接パターン１１２を形成して構成されている。各摺接パターン１１２は貫通孔１１１に接近してリング状に設けた連結パターン１１３によって連結されている。即ち摺接パターン１１２は１つの円形のトラック上に等間隔に複数設けられ、且つ各摺接パターン１１２間は全て連結パターン１１３によって連結され導通されている。スイッチパターン形成体１１０の外周の等間隔の複数位置（この実施形態では４ヶ所）からは小突起状の位置決め部１１５が突出している。
【００１９】
回転側部材である回転体１３０は合成樹脂（例えばポリカーボネート樹脂等）を略平板リング状に成形してなる成形品であり、中央に円形に貫通する軸支部１３１を設けて構成されている。軸支部１３１の内径寸法は前記下ケース１０の側壁１５の外周に回転体１３０が回動自在に軸支されるように、側壁１５の外径寸法よりも若干大きい寸法に形成されている。また回転体１３０の外径寸法は下ケース１０の外壁１３の内側に収納できる寸法に形成されている。回転体１３０の上面側の外周にはその全周にわたってリング状の凹凸からなるクリック係合部１３３が設けられ、その内側には同心円状の複数（この実施形態では４つ）の円弧状に上方向に突出する摺接部１３５が設けられ、その内側の軸支部１３１の周囲には同一円周状に等間隔に複数（この実施形態では４つ）の柱状の取付部１３７が設けられ、各取付部１３７の上端面には円形の凹部からなる圧入部１３９が設けられている。摺接部１３５は下記する上ケース２６０の下面の開口２６７周囲に当接（摺接）する位置に設けられ、取付部１３７は上ケース２６０の開口２６７内に露出する位置に設けられている。回転体１３０の下面には、リング状の平面からなるスイッチパターン形成体取付部１４１が設けられている。スイッチパターン形成体取付部１４１の前記スイッチパターン形成体１１０の各位置決め部１１５に対向する位置にはこれらを挿入する係止部１４３が設けられている。なおスイッチパターン形成体１１０は回転体１３０のスイッチパターン形成体取付部１４１に接着等によって取り付けてもよいが、この実施形態では図２，図３からも分かるように、スイッチパターン形成体１１０は回転体１３０のスイッチパターン形成体取付部１４１にインサート成形によって取り付けられている。
【００２０】
揺動体１７０は合成樹脂（例えばＡＢＳ樹脂、ＰＢＴ樹脂、ＰＯＭ樹脂等）を略リング状に成形して構成されている。即ち略平板リング状であって中央に円形のつまみ挿通穴１７３を設けてなる揺動本体部１７１と、揺動本体部１７１の外周下面側に突出するように等間隔に複数（この実施形態では４つ）設けられる揺動つまみ取付部１７５と、揺動本体部１７１の下面の各揺動つまみ取付部１７５の内側（つまみ挿通穴１７３側）に下方向に突出するように設けられる柱状の複数（４つ）の押圧部１７７と、揺動本体部１７１の下面の各押圧部１７７の中間位置に下方向に突出するように設けられる柱状の複数（４つ）のひんじ取付部１７９とを設けて構成されている。各揺動つまみ取付部１７５は上下に貫通する貫通孔１７８を有する箱型に形成され、箱型を形成する筒状部分の内、左右一対（揺動体１７０を上側から見て半径方向外側に突出する左右一対）の部分によって下記する揺動つまみ２８０のクリック係合部２８５の両側辺を挿入自在にガイドし、また先端（揺動体７０を上側から見て半径方向外側に最も突出している１辺）の部分の下辺をスナップ係合部１８３としている。
【００２１】
押釦つまみ１９０は合成樹脂（例えばＡＢＳ樹脂、ＰＢＴ樹脂、ＰＯＭ樹脂等）を成形して構成されており、略円形の柱状に成形してなるつまみ本体１９１と、つまみ本体１９１の外周下部から半径方向外側に張り出すリング状のつば部１９３と、つまみ本体１９１の下面中央から突出する円形柱状の押圧部１９５と、つまみ本体１９１の下面の押圧部１９５の両側に設けられる小突起からなる固定部１９７とを具備して構成されている。
【００２２】
ヒンジ部材２１０は可撓性を有する合成樹脂フイルム製（この実施形態ではＰＥＴフイルムを用いているが、他の合成樹脂フイルムでも良い。）であり、外周を囲むリング状の連結部２１１と、中央の略円形の押釦つまみ取付部２１３と、押釦つまみ取付部２１３の周囲から放射状に突出してそれらの先端を連結部２１１に接続する複数本（４本）のヒンジ部２１５とを具備して構成されている。押釦つまみ取付部２１３の中央には前記押釦つまみ１９０の押圧部１９５を挿通する円形の貫通する挿通部２１７が設けられ、また挿通部２１７の両側部には前記押釦つまみ１９０の各固定部１９７を挿通する円形の貫通する係合部２１９が設けられている。各ヒンジ部２１５と押釦つまみ取付部２１３とを連結している部分には、それぞれ前記押釦つまみ取付部２１３のヒンジ部２１５に対する可撓性を高めるための開口２２１が設けられ、また各ヒンジ部２１５の中間位置には前記揺動体１７０のひんじ取付部１７９を挿入する円形の貫通する固定部２２３が設けられ、各ヒンジ部２１５の連結部２１１側の端部近傍にはそれぞれ前記下ケース１０の係止部２３に挿入される貫通する円形の固定部２２５が設けられている。
【００２３】
クリック部材２４０は薄板状の弾性金属板をリング状に形成し、１８０°対向する部分に取付部２４１を設け、両取付部２４１の間を結ぶ円弧状の一対の弾発部２４３を下方向に少し折り曲げ、各弾発部２４３の中間部分を下方向に突出するように円弧状に折り曲げて弾接部２４５として構成されている。取付部２４１の外側辺には、矩形状に凹む係合凹部２４７が設けられている。
【００２４】
上ケース２６０はステンレス等の金属板を加工することによって構成されており、略円形平板リング状の本体部２６１と、本体部２６１の外周から半径方向外側に向けて突出してその根元部分を９０°下方向に折り曲げてなる舌片状の複数（この実施形態では４つ）の取付片２６３と、本体部２６１の外周から半径方向外側に向けて突出してその根元部分を９０°下方向に折り曲げてなる略帯状の蓋部２６５とを具備して構成されている。本体部２６１の中央には円形の開口２６７が設けられている。各取付片２６３は前記下ケース１０の各ガイド部２９内にぴったり挿入される位置及び寸法に形成されている。また蓋部２６５は前記下ケース１０の引出部挿通部２７を略覆う位置及び寸法に形成されている。蓋部２６５の下部は、半径方向外側に向けて折り曲げられた後、上向きに折り曲げられ（即ち全体として略Ｊ字状に折り曲げられ）ている。このように折り曲げたのは、蓋部２６５の下側を通過するフレキシブル回路基板４０の引出部４３が撓んでこの蓋部２６５の下辺に当接しても引出部４３を傷付けることがないようにするためである。
【００２５】
揺動つまみ２８０は成形樹脂（例えばＡＢＳ樹脂、ＰＢＴ樹脂、ＰＯＭ樹脂等）を略円板状に成形して構成されており、その中央には前記押釦つまみ１９０のつまみ本体１９１を挿通するつまみ露出部２８１が設けられ、また揺動つまみ２８０下面のつまみ露出部２８１の周囲には押釦つまみ１９０のつば部１９３を収納するリング状で凹状のつば部収納部２８３が設けられ、また揺動つまみ２８０下面の前記揺動体１７０の各揺動つまみ取付部１７５（その貫通孔１７８）に対向する位置には下方向に突出するクリック係合部２８５が設けられている。クリック係合部２８５は弾性を有する薄板状の弾性部２８５ａと、弾性部２８５ａの先端（下端）に設けられる爪部２８５ｂとによって構成されている。また揺動つまみ２８０の上面の前記各クリック係合部２８５の真上の位置には、それぞれその押圧方向を示す記号部２８７が凹部によって形成されている。
【００２６】
回転つまみ３００は合成樹脂（例えばＡＢＳ樹脂、ＰＢＴ樹脂、ＰＯＭ樹脂等）を略リング状に成形して構成されており、中央には前記揺動つまみ２８０を挿入する円形のつまみ挿入穴３０１が設けられている。つまみ挿入穴３０１の内径は揺動つまみ２８０の外径よりも若干大きい。回転つまみ３００の上面には指による操作が行い易いように等間隔に突部３０３が設けられている。一方回転つまみ３００の下面のつまみ挿入穴３０１の周囲には、下方向に向かって突出する円形筒状の突出部３０５が設けられ、突出部３０５内の等間隔の４ヶ所には突出部３０５を切り欠いてなる凹部３０７が設けられ、各凹部３０７内にはその底面から突出する小突起状の取付部３０９が設けられている。突出部３０５の外径寸法は前記上ケース２６０の開口２６７の内径寸法よりも若干小さい寸法に形成されている。各取付部３０９は前記回転体１３０の各圧入部１３９に対向する位置に圧入部１３９の内径よりも若干大きい外径寸法で形成されている。突出部３０５の各凹部３０７で仕切られた部分の中間には、突出部３０５の根元側の部分に開口部３１１を設けることで開口部３１１を設けた下側の突出部３０５の部分の厚みを薄くして弾性を持たせたアーチ状の弾発部３１３とし、弾発部３１３の中間に半径方向外側に向かって突出する爪状の係合部３１５を設けている。各係合部３１５は少なくともそれらの先端を結ぶ円の径が上ケース２６０の開口２６７の内径よりも大きくなるように形成されている。
【００２７】
次に上記回転式電子部品１の組立方法を説明する。この実施形態では予め回転体１３０の下面のスイッチパターン形成体取付部１４１にスイッチパターン形成体１１０をその摺接パターン１１２を露出した状態でインサート成形しておく。また予めヒンジ部材２１０上に揺動体１７０と押釦つまみ１９０とを載置し、その際ヒンジ部材２１０の挿通部２１７に押釦つまみ１９０の押圧部１９５を挿通し、同時にヒンジ部材２１０の各係合部２１９に押釦つまみ１９０の各固定部１９７を挿入し、同時にヒンジ部材２１０の各固定部２２３に揺動体１７０の各ヒンジ取付部１７９を挿入する。このとき揺動体１７０の各押圧部１７７はヒンジ部材２１０の十字型の各ヒンジ部２１５の間の開口部分を通してヒンジ部材２１０の下面側に突出しており、また押釦つまみ１９０のつまみ本体１９１は揺動体１７０のつまみ挿通穴１７３内に挿入されている。そして前記各固定部１９７と各ヒンジ取付部１７９の先端を熱カシメすることで押釦つまみ１９０と揺動体１７０をヒンジ部材２１０上に取り付ける。
【００２８】
そして下ケース１０内にフレキシブル回路基板４０を収納する。その際下ケース１０の側壁１５をフレキシブル回路基板４０の側壁挿通部４１に挿入し、同時に下ケース１０の各取付部２５をフレキシブル回路基板４０の各取付部５７に挿入する。このとき下ケース１０のアース端子挿通部２１とフレキシブル回路基板４０のアース挿通部５３の位置が一致する。次に前記フレキシブル回路基板４０上の各導電パターン５５ａ，ｂ，ｃ上に各摺動子６０，６１，６３の基部６０ａ，６１ａ，６３ａを載置し、その際フレキシブル回路基板４０上に突出している下ケース１０の各取付部２５（１つを除く）を各基部６０ａ，６１ａ，６３ａの取付挿入部６０ｄ，６１ｄ，６３ｄに挿入する。そして全ての取付部２５の先端を熱カシメすれば、下ケース１０の底板１１上にフレキシブル回路基板４０と各摺動子６０，６１，６３とが固定される。
【００２９】
次に下ケース１０内にアース部材７０を収納し、その際下ケース１０の側壁１５上にアース部材７０の設置部７７を載置する。このとき各設置部７７の各係止部７９に下ケース１０の各係止部２３が挿入される。またこのときアース部材７０の一対のアース部８１がフレキシブル回路基板４０のアース挿通部５３を通して下ケース１０の一対のアース端子挿通部２１内に挿入され、それらの先端は少し下ケース１０の下面側に露出する。次に前記揺動体１７０と押釦つまみ１９０とを取り付けたヒンジ部材２１０を前記アース部材７０上に載置し、その際アース部材７０の設置部７７上に突出している下ケース１０の各係止部２３を、ヒンジ部材２１０の各固定部２２５に挿入する。そして各係止部２３をヒンジ部材２１０上で熱カシメし、これによってアース部材７０とヒンジ部材２１０とを下ケース１０内に固定する。
【００３０】
次にスイッチパターン形成体１１０を取り付けた回転体１３０を、下ケース１０の電気的機能部収納空間１９内に収納する。このとき回転体１３０は下ケース１０の側壁１５の外周にその軸支部１３１が回転自在に軸支される。次に下ケース１０の電気的機能部収納空間１９内にクリック部材２４０を収納し、その際クリック部材２４０の一対の取付部２４１の半径方向外側半分の部分（係合凹部２４７の部分）を下ケース１０の外壁１３上の一対のクリック部材係止部３１に係合・保持する。次に下ケース１０上に上ケース２６０を被せ、上ケース２６０の各取付片２６３を下ケース１０の各ガイド部２９に挿入・係合し、各取付片２６３の先端を下ケース１０の下面に折り曲げる。このときの状態を図６に示す。同図に示すように上ケース２６０の開口２６７内には、揺動体１７０の各揺動つまみ取付部１７５（貫通孔１７８）と、回転体１３０の各取付部１３７（圧入部１３９）とが露出している。
【００３１】
そして前記揺動体１７０の上面側に揺動つまみ２８０を設置することで揺動つまみ２８０の各クリック係合部２８５を揺動体１７０の各揺動つまみ取付部１７５（貫通孔１７８）にスナップイン係合する。このスナップイン係合は、クリック係合部２８５の爪部２８５ｂを揺動つまみ取付部１７５の貫通孔１７８に挿入し、その際爪部２８５ｂをスナップ係合部１８３（図４−２，５−２参照）によって内側に押圧して弾性部２８５ａを内側にたわめ、さらに挿入することで爪部２８５ｂがスナップ係合部１８３の下側に入り込んで前記弾性部２８５ａのたわめを解除することで行われる。なおスナップイン係合とは、一方の部材と他方の部材とを接近していった際に一方の部材に設けた爪部を有する弾性部が撓みながら他方の部材に設けたスナップ係合部に接近し、スナップ係合部に前記爪部が係合した段階で前記弾性部の撓みが解除され（又は一部解除され）、これによって両部材を引き離すことができなくなる係合を言う。
【００３２】
一方前記上ケース２６０を挟んだ回転体１３０の上面側に回転つまみ３００を設置することで、回転つまみ３００の各取付部３０９を回転体１３０の各取付部１３７の圧入部１３９に圧入する。このとき同時に回転つまみ３００の各係合部３１５を上ケース２６０の開口２６７の内周辺に当接してその弾発部３１３をたわませることで各係合部３１５を開口２６７側（内側）に押し込みながら上ケース２６０の下面にスナップイン係合させる。なおこのとき図２に示すように、各係合部３１５と上ケース２６０の下面との間には少しの隙間がある。つまり回転つまみ３００の取り付けは、取付部３０９の圧入部１３９への圧入によって行われており、各係合部３１５は補助的に回転つまみ３００が外れないようにするために設けたものである。
【００３３】
これによって回転式電子部品１の組み立てが完了する。このとき回転つまみ３００のつまみ挿入穴３０１内に揺動つまみ２８０が露出する。なお回転つまみ３００の回転体１３０への取り付けと揺動つまみ２８０の揺動体１７０への取り付けはいずれが先でも良い。またこの回転式電子部品１において、各スイッチ５１上にはそれぞれ揺動体１７０の押圧部１７７と押釦つまみ１９０の押圧部１９５とが位置しており、一方クリック部材２４０はその取付部２４１が下ケース１０の外壁１３と上ケース２６０とに挟持されて固定され且つその弾接部２４５が回転体１３０のクリック係合部１３３の面に弾接しており、各摺動子６０，６１，６３の摺動接点６０ｃ，６０ｃ，６１ｃ，６３ｃはスイッチパターン形成体１１０の摺接パターン１１２を設けた面に弾接している。
【００３４】
そして揺動つまみ２８０の上面の所定部分（特に記号部２８７の部分）を押圧すると、ヒンジ部材２１０のヒンジ部２１５がたわむことで、揺動つまみ２８０及びこれに一体に取り付けた揺動体１７０が揺動し、押圧して下降した位置にある押圧部１７７がこれに対向するスイッチ５１を押圧してオンする。前記押圧を解除すると、ヒンジ部２１５及びスイッチ５１を構成する反転板の弾性復帰力によって揺動つまみ２８０は元の位置に戻り、反転板の反転も解除されてスイッチ５１はオフする。
【００３５】
次に押釦つまみ１９０のつまみ本体１９１を押圧すると、ヒンジ部材２１０のヒンジ部２１５がたわむことで押釦つまみ１９０が下降し、下降した押圧部１９５がこれに対向するスイッチ５１を押圧してオンする。前記押圧を解除すると、ヒンジ部２１５及びスイッチ５１を構成する反転板の弾性復帰力によって押釦つまみ１９０は元の位置に戻り、反転板の反転も解除されてスイッチ５１はオフする。
【００３６】
一方回転つまみ３００を回転すると、回転つまみ３００と一体に回転体１３０及びスイッチパターン形成体１１０が回転し、スイッチパターン形成体１１０に設けた摺接パターン１１２が下ケース１０に固定した摺動子６０，６１，６３の摺動接点６０ｃ，６０ｃ，６１ｃ，６３ｃ上を摺動する。各摺接パターン１１２と、３つの摺動子６０，６１，６３の摺動接点６０ｃ，６０ｃ，６１ｃ，６３ｃとは前述のように何れも１つの円形のトラック上に配置されている。さらに具体的に言えば、各摺動子６０，６１，６３の基部６０ａ，６１ａ，６３ａとアーム部６０ｂ，６０ｂ，６１ｂ，６３ｂは、前記トラックの曲率半径と同一の曲率半径の円弧状に湾曲して形成することで、前記１つのトラックに沿うように配置されている。このとき同時にクリック部材２４０の弾接部２４５が回転体１３０のクリック係合部１３３に弾接しながら摺動することで、所望のクリック感覚が生じる。摺動子６０はその一対の摺動接点６０ｃ，６０ｃの少なくとも何れか一方が常に摺接パターン１１２の何れかに接触しているコモンの摺動子である。また摺動子６１と摺動子６３はそれらの摺動接点６１ｃ，６３ｃが位相差をもって（接触位置に一定のずれを有して）何れかの摺接パターン１１２に接触するものである。図７は摺動子６０，６１，６３と摺接パターン１１２とのオンオフ状態を示す図である。同図に示すように摺動子６０はコモンであって常にオン状態にあり、また摺動子６１と摺動子６３は一定の位相差をもって繰返しオンオフされるものである。この電気的機能部は、摺接パターン１１２と複数の摺動子６０，６１，６３とによって、パルス波形を出力できる構造であり、ロータリーエンコーダとして利用される。
【００３７】
この実施形態のように摺接パターン１１２と複数の摺動子６０，６１，６３の摺動接点６０ｃ，６０ｃ，６１ｃ，６３ｃとを１つの円形のトラック上に配置すれば、これら各部材が摺接するのに必要なトラックは１本のみとなり、その厚み（トラックに垂直な方向の幅）を薄く、即ちこれら各部材の設置面積を小さくでき、回転式電子部品１の外径の小型化が図れる。特にこの回転式電子部品１のように、その中央に他の部品（他の電子部品。なお電子部品以外の他の機能のために用いる他の機能部品であっても良い。）を収納設置するような場合、中央の他の電子部品やその他の機能部品の周囲の外径寸法を小さくでき、全体としての小型化が図れ、好適である。この実施形態の場合、各摺動子６０，６１，６３の基部６０ａ，６１ａ，６３ａとアーム部６０ｂ，６０ｂ，６１ｂ，６３ｂが１つのトラックに沿うように配置されているので、回転式電子部品１の外径の小型化がより効果的に図れる。また各摺動子６０，６１，６３が１つのトラックに沿っているので、アーム部６０ｂ，６０ｂ，６１ｂ，６３ｂの長さを長くしても摺動子６０，６１，６３以外の他の部材に対して邪魔にならず、長くできる分、摺動子６０，６１，６３の弾性力を一定させ安定させることができる。
【００３８】
なお回転式電子部品１の金属製の上ケース２６０及びアース部材７０はアースされる（アース部材７０は下ケース１０の下面に露出するアース部８１先端がアースされる）。従って回転つまみ３００の外周と上ケース２６０の間から侵入しようとする静電気は上ケース２６０に取り込まれ、また揺動つまみ２８０と回転つまみ３００の隙間及び揺動つまみ２８０と押釦つまみ１９０の隙間から侵入しようとする静電気はアース部材７０に取り込まれる。従って押釦つまみ１９０，揺動つまみ２８０，回転つまみ３００を帯電した指等によって操作した場合でも、静電気がスイッチ５１や導電パターン５５ａ，ｂ，ｃ等の電気回路部分に侵入することはない。
【００３９】
〔第２実施形態〕
図８は本発明の第２実施形態にかかる多機能型の回転式電子部品１−２の概略側断面図である。この回転式電子部品１−２は、回転式電子部品の中央に押圧式電子部品を収納して多機能化させたものである。同図に示すようにこの回転式電子部品１−２は、ケース４００内に、回路基板（以下「フレキシブル回路基板」という）４３０と、３本の摺動子４５０，４６０，４７０（図８では２本のみ示す）と、回転体４８０とを収納し、その上をカバー５００で覆って構成されている。以下各構成部品について説明する。
【００４０】
ケース４００は合成樹脂製であり、平板状の基台部４０１の外周上面から上方向に突出する側壁４０３を設けることでその内側を収納部４０５とし、また収納部４０５の中央に円形に突出する筒状の軸支部４０７を設け、軸支部４０７の内部を他の電子部品収納用の部品収納部４０９として構成されている。部品収納部４０９の底面上には一対の押圧型のスイッチ４４１，４４１が設置されている。
【００４１】
図９はフレキシブル回路基板４３０の平面図である。同図に示すようにフレキシブル回路基板４３０は可撓性を有する絶縁性の合成樹脂フイルム（例えばＰＥＴフイルム）を前記ケース４００の収納部４０５内に収納できるリング形状に形成し、またその外周から帯状の引出部４３３を引き出して構成されている。そして中央に形成される開口部４３５内に開口部４３５の内周辺から中心方向に向けて突出する帯状の第２電気的機能部設置部（以下「スイッチ形成部」という）４３７を設け、またリング状の部分を第１電気的機能部設置部（以下「摺動子取付部」という）４３９としている。スイッチ形成部４３７の上面には一対のスイッチ４４１，４４１が設けられ、また摺動子取付部４３９にはその複数位置（この実施形態では３ヶ所）に円弧状の導電パターン４４３ａ，ｂ，ｃが設けられ、各導電パターン４４３ａ，ｂ，ｃ中とそれ以外の各部に小孔からなる取付部４４５が設けられている。各スイッチ４４１は何れもフレキシブル回路基板４３０上に形成した一対の接点パターン４４１ａ，４４１ａ上にドーム形状の弾性部材（弾性ゴム）からなる反転体４４７（図８参照）を設置することで構成されている。反転体４４７の下面中央には平板状の導電部４４７ａが設けられ、反転体４４７の上面を押圧して反転体４４７をクリック感覚を生じながら反転させるとその導電部４４７ａが一対の接点パターン４４１ａ，４４１ａに当接し、これによって両接点パターン４４１ａ，４４１ａ間が導通する。
【００４２】
図１０は摺動子４５０，４６０，４７０の平面図である。摺動子４５０，４６０，４７０は、第１実施形態の摺動子６０，６１，６３と同様に、何れも弾性金属板（例えばリン青銅板）製であり、摺動子４５０はコモンの摺動子、摺動子４６０，４７０は出力用の摺動子である。摺動子４５０は固定側部材であるフレキシブル回路基板４３０に取り付けられる平板円弧状の基部４５０ａの両端からアーム部４５０ｂ，４５０ｂを突出し、各アーム部４５０ｂ，４５０ｂの先端近傍に上方向（回転体４８０側）に凸となるように湾曲する摺動接点４５０ｃ，４５０ｃを設け、また基部４５０ａ中の複数ヶ所（前記フレキシブル回路基板４３０の取付部４４５に対向する３ヶ所）に取付部４４５と同一径の小孔からなる取付挿入部４５０ｄを設けて構成されている。摺動子４６０，４７０はフレキシブル回路基板４３０に取り付けられる平板円弧状の基部４６０ａ，４７０ａの一端からアーム部４６０ｂ，４７０ｂを突出し、各アーム部４６０ｂ，４７０ｂの先端近傍に上方向に凸となるように湾曲する摺動接点４６０ｃ，４７０ｃを設け、また基部４６０ａ，４７０ａ中（前記フレキシブル回路基板４３０の取付部４４５に対向する１ヶ所ずつ）に取付部４４５と同一径の小孔からなる取付挿入部４６０ｄ，４７０ｄを設けて構成されている。各アーム部４５０ｂ，４５０ｂ，４６０ｂ，４７０ｂは基部４５０ａ，４６０ａ，４７０ａに連結される根元部分において上方向（操作面側、回転体４８０側）に折り曲げられている。なお各摺動子４５０，４６０，４７０は何れも基部４５０ａ，４６０ａ，４７０ａとアーム部４５０ｂ，４５０ｂ，４６０ｂ，４７０ｂの全体を、細帯状であって、下記する摺接パターン４８３が形成する１本のトラックの曲率半径と同一の曲率半径の円弧状に湾曲形成して構成されている。即ち基部４５０ａ，４６０ａ，４７０ａもアーム部４５０ｂ，４５０ｂ，４６０ｂ，４７０ｂもこれら全体が同一の円上に位置するように湾曲して円弧状に形成されている。
【００４３】
図１１は回転体４８０の裏面図である。同図及び図８に示すように、回転側部材である回転体４８０は合成樹脂（例えばポリカーボネート樹脂等）を略平板リング状に成形し、その中央に筒状の回転操作部４８１を上方向に突設して構成されている。回転操作部４８１の内径は前記ケース４００の軸支部４０７の外周に回転体４８０が回動自在に軸支される寸法に形成されている。回転体４８０の下面には、リング状で等間隔に複数（この実施形態では２０個）の略矩形状の電気的機能部を構成する摺接パターン４８３が形成されている。摺接パターン４８３は金属板をこの回転体４８０の下面にインサート成形することで形成されている。各摺接パターン４８３は回転操作部４８１に接近してリング状に設けた連結パターン４８５によって連結されている。即ち摺接パターン４８３は１つの円形のトラック上に等間隔に複数設けられ、且つ各摺接パターン４８３間は全て連結パターン４８５によって連結され導通されている。なお第１実施形態のように、回転体４８０とは別体に用意したスイッチパターン形成体に摺接パターン４８３等を設け、これを回転体４８０の下面に取り付けても良い。
【００４４】
回転式電子部品１−２を組み立てるには、図８に示すように、ケース４００の収納部４０５の底面上にフレキシブル回路基板４３０の摺動子取付部４３９を収納設置する。その際、フレキシブル回路基板４３０に設けたスイッチ形成部４３７（予め反転体４４７を取り付けているもの）は、ケース４００の軸支部４０７の所定位置に設けた図示しない切り欠き又は開口を通して部品収納部４０９内に挿入され、その底面上に設置される。次に前記摺動子取付部４３９の上に３本の摺動子４５０，４６０，４７０を設置してその際摺動子４５０，４６０，４７０の各基部４５０ａ，４６０ａ，４７０ａをそれぞれ各導電パターン４４３ａ，４４３ｂ，４４３ｃ上に載置する。その際収納部４０５の底面上から突出する図示しない小突起状の取付部をフレキシブル回路基板４３０の各取付部４４５と各基部４５０ａ，４６０ａ，４７０ａの取付挿入部４５０ｄ，４６０ｄ，４７０ｄとに挿入し、各取付部の先端を熱カシメすることで、ケース４００の収納部４０５の底面にフレキシブル回路基板４３０と摺動子４５０，４６０，４７０とを取り付ける。次に摺動子４５０，４６０，４７０の上に回転体４８０を設置し、その際ケース４００の軸支部４０７の外周に回転体４８０の回転操作部４８１の内周を回動自在に挿入し回転体４８０を回動自在に軸支する。そして収納部４０５の上面をカバー５００で覆ってカバー５００に設けた爪５０１（図８参照）の先端をケース４００の底面に折り曲げれば、回転式電子部品１−２が完成する。
【００４５】
そしてケース４００の部品収納部４０９内に一対の独立に上下動する図示しないキートップを収納し、これらキートップを押圧すれば、これらキートップにそれぞれ押圧される前記スイッチ４４１，４４１がオンする。前記押圧を解除すると、反転体４４７の弾性復帰力によってキートップは元の位置に戻り、反転体４４７の反転も解除されてスイッチ４４１はオフする。
【００４６】
一方回転体４８０を回転すると、回転体４８０と一体に回転する摺接パターン４８３がケース４００に固定した摺動子４５０，４６０，４７０の摺動接点４５０ｃ，４５０ｃ，４６０ｃ，４７０ｃ上を摺動する。図１２は各摺動子４５０，４６０，４７０と摺接パターン４８３との関係を示す図である。同図に示すように各摺接パターン４８３と、３つの摺動子４５０，４６０，４７０の摺動接点４５０ｃ，４５０ｃ，４６０ｃ，４７０ｃとは何れも１つの円形のトラックＴ１上に配置されている。さらに具体的に言えば、各摺動子４５０，４６０，４７０の基部４５０ａ，４６０ａ，４７０ａとアーム部４５０ｂ，４５０ｂ，４６０ｂ，４７０ｂは、前記トラックＴ１の曲率半径と同一の曲率半径の円弧状に湾曲して形成することで、前記１つのトラックＴ１に沿うように配置されている。摺動子４５０はその一対の摺動接点４５０ｃ，４５０ｃの少なくとも何れか一方が常に摺接パターン４８３の何れかに接触しているコモンの摺動子である。また摺動子４６０と摺動子４７０はそれらの摺動接点４６０ｃ，４７０ｃが位相差をもって（接触位置に一定のずれを有して）何れかの摺接パターン４８３に接触するものである。その出力は前記図７に示すと同様のオンオフ波形となる。即ち摺動子４５０はコモンであって常にオン状態にあり、また摺動子４６０と摺動子４７０は一定の位相差をもって繰返しオンオフされるものである。この電気的機能部は、摺接パターン４８３と複数の摺動子４５０，４６０，４７０とによって、パルス波形を出力できる構造であり、ロータリーエンコーダとして利用される。
【００４７】
第１実施形態と同様にこの実施形態においても、摺接パターン４８３と複数の摺動子４５０，４６０，４７０の摺動接点４５０ｃ，４５０ｃ，４６０ｃ，４７０ｃとを１つの円形のトラック上に配置しているので、これら各部材が摺接するのに必要なトラックは１本のみとなり、その厚み（トラックに垂直な方向の幅）を薄く、即ちこれら各部材の設置面積を小さくでき、回転式電子部品１−２の外径の小型化が図れる。さらにこの実施形態の場合も、各摺動子４５０，４６０，４７０の基部４５０ａ，４６０ａ，４７０ａとアーム部４５０ｂ，４５０ｂ，４６０ｂ，４７０ｂが１つのトラックに沿うように配置されているので、回転式電子部品１−２の外径の小型化がより効果的に図れる。
【００４８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではフレキシブル回路基板４０，４３０を用いたが、その代りに硬質の回路基板を用いても良い。その場合、回路基板をケース１０，４００と兼用させても良い。また上記実施形態では摺接パターンとしてコードスイッチパターンを用いたが、他の各種スイッチパターンや抵抗体パターン等、他の各種摺接パターンを用いても良い。要は回転体を回転することで摺動子に設けた摺動接点を摺接させてその電気的出力を変化する構造であれば良い。また上記実施形態では３本の摺動子を設置したが、２本以上の複数の摺動子であれば何本でもよい。
【図面の簡単な説明】
【００４９】
【図１】多機能型の回転式電子部品１の斜視図である。
【図２】回転式電子部品１の断面斜視図である。
【図３】回転式電子部品１の断面斜視図である。
【図４−１】回転式電子部品１を上側から見た分解斜視図（その上部）である。
【図４−２】回転式電子部品１を上側から見た分解斜視図（その中間部）である。
【図４−３】回転式電子部品１を上側から見た分解斜視図（その下部）である。
【図５−１】回転式電子部品１を下側から見た分解斜視図（その上部）である。
【図５−２】回転式電子部品１を下側から見た分解斜視図（その中間部）である。
【図５−３】回転式電子部品１を下側から見た分解斜視図（その下部）である。
【図６】回転式電子部品１の組立手順を示す分解斜視図である。
【図７】出力波形図である。
【図８】多機能型の回転式電子部品１−２の概略側断面図である。
【図９】フレキシブル回路基板４３０の平面図である。
【図１０】摺動子４５０，４６０，４７０の平面図である。
【図１１】回転体４８０の裏面図である。
【図１２】摺動子４５０，４６０，４７０と摺接パターン４８３との関係を示す図である。
【符号の説明】
【００５０】
１  回転式電子部品
１０  下ケース
４０  フレキシブル回路基板（回路基板）
６０，６１，６３  摺動子
６０ａ，６１ａ，６３ａ  基部
６０ｂ，６１ｂ，６３ｂ  アーム部
６０ｃ，６１ｃ，６３ｃ  摺動接点
７０  アース部材
１１０  スイッチパターン形成体（摺接パターン形成体）
１１２  摺接パターン
１３０  回転体
１７０  揺動体
１９０  押釦つまみ
２１０  ヒンジ部材
２４０  クリック部材
２６０  上ケース
２８０  揺動つまみ
３００  回転つまみ
１−２  回転式電子部品
４００  ケース
４３０  フレキシブル回路基板（回路基板）
４５０，４６０，４７０  摺動子
４５０ａ，４６０ａ，４７０ａ  基部
４５０ｂ，４６０ｂ，４７０ｂ  アーム部
４５０ｃ，４６０ｃ，４７０ｃ  摺動接点
４８０  回転体
４８３  摺接パターン
５００  カバー
Ｔ１  トラック
【図１】
2008123903.tif 000003
【図２】
2008123903.tif 000004
【図３】
2008123903.tif 000005
【図４−１】
2008123903.tif 000006
【図４−２】
2008123903.tif 000007
【図４−３】
2008123903.tif 000008
【図５−１】
2008123903.tif 000009
【図５−２】
2008123903.tif 000010
【図５−３】
2008123903.tif 000011
【図６】
2008123903.tif 000012
【図７】
2008123903.tif 000013
【図８】
2008123903.tif 000014
【図９】
2008123903.tif 000015
【図１０】
2008123903.tif 000016
【図１１】
2008123903.tif 000017
【図１２】
2008123903.tif 000018